(57)【要約】【課題】オプション機能を有効に設定する際には、オプション基板を装置本体と装着するという手間を省き、装置本体と電気的接触がいらず、更にはオプション機能が有効である旨を外見上判断しやすい電子機器システムを提供する。【解決手段】無線ＩＣタグリーダを備え、オプション機能の有効／無効を設定可能なオプション機能を有した電子機器と、無線ＩＣタグとで構成される電子機器システムであって、無線ＩＣタグは、他の無線ＩＣタグから識別可能な情報を記憶しており、無線機器は、無線ＩＣタグの記憶している識別可能な情報をオプション機能に対応させて予め記憶しており、無線ＩＣタグリーダが無線ＩＣタグを検出したときには、その識別可能な情報に対応するオプション機能を有効に設定するオプション機能設定手段を備えている。【選択図】図１
2006067177.tif 000002
【特許請求の範囲】
【請求項１】
無線ＩＣタグリーダを備え、オプション機能の有効／無効を設定可能なオプション機能を有した電子機器と、無線ＩＣタグとで構成される電子機器システムであって、
上記無線ＩＣタグは、他の無線ＩＣタグとは識別可能な情報を記憶しており、
上記無線機器は、上記無線ＩＣタグの記憶している識別可能な情報をオプション機能に対応させて予め記憶しており、上記無線ＩＣタグリーダが上記無線ＩＣタグを検出したときには、その識別可能な情報に対応するオプション機能を有効に設定するオプション機能設定手段を備えている、電子機器システム。
【請求項２】
請求項１において、
上記無線ＩＣタグは、その表面に、この無線ＩＣタグによって有効とされる上記電子機器のオプション機能の識別情報が印刷されており、上記電子機器の外装面の所定位置に貼り付けて使用されることを特徴とする、電子機器システム。
【請求項３】
請求項１、２のいずれかにおいて、
上記オプション機能設定手段は、１種類の無線ＩＣタグが記憶している識別可能な情報を少なくとも２つ以上のオプション機能に対応させて記憶していることを特徴とする、電子機器システム。
【請求項４】
請求項１〜３のいずれかにおいて、
上記無線ＩＣタグは、無線ＩＣタグ自身の有効性を担保する付加情報を更に記憶しており、
上記オプション機能設定手段は、上記無線ＩＣタグを検出したときには、無線ＩＣタグ自身の有効性を担保する付加情報を確認したのちに、オプション機能を有効に設定することを特徴とする、電子機器システム。
【発明の詳細な説明】
【技術分野】
【０００１】
本発明は、ネットワーク通信などのオプション機能の有効／無効をユーザのニーズに合わせて設定できる電子機器の改良に関する。
【背景技術】
【０００２】
従来より、ファクシミリ装置などの電子機器では、ファクシミリ送受信などのメイン機能の他、ユーザの所望により、ネットワーク通信機能などの各種オプション機能を実行可能としている。
【０００３】
このような電子機器では、オプション機能を有効とするには、ユーザの所望に応じて、サービスマンなどが別途用意されたオプション基板を本体に取り付けるようにしている。ところが、所望されたオプション機能が増加すればそれだけ装着すべきオプション基板の数も増加するため、取り付け作業が面倒となる。
【０００４】
そこで、下記特許文献１に示すような技術が提案されており、オプション基板の取り付け作業を不要にしたものがある。
【０００５】
このものは、ユーザの所望に応じた１または複数のオプション機能を有効設定させるため、別途用意したＩＣカードにこれらのオプション機能対応プログラムを記憶させておき、装置の使用時にかかるＩＣカードを装着すれば、ＩＣカードに記憶されているオプション機能対応プログラムが実行されるようになっている。
【特許文献１】特開平５−２２４４７８号公報
【発明の開示】
【発明が解決しようとする課題】
【０００６】
しかしながら、上記特許文献１に係る技術では、確かに、ユーザの所望に応じたオプション機能の数だけオプション基板を装着する手間は省けるが、ＩＣカードの装着による方法では、装置との電気的コンタクトが不良であればオプション機能が全く使用できなくなるという問題がある。
【０００７】
また、かかるＩＣコードを装着するためのスロットが装置本体裏面にある場合には、オプション機能が使用できるかどうかが、外見上判断しにくいという問題もある。
【０００８】
本発明は、上記事情を考慮してなされたものであり、オプション機能を有効に設定する際には、オプション基板を装置本体と装着するという手間を省き、装置本体と電気的接触がいらず、更にはオプション機能が有効である旨を外見上判断しやすい電子機器システムを提供することを目的とする。
【課題を解決するための手段】
【０００９】
上記目的を達成するために提案される請求項１では、無線ＩＣタグリーダを備え、オプション機能の有効／無効を設定可能なオプション機能を有した電子機器と、無線ＩＣタグとで構成される電子機器システムであって、無線ＩＣタグは、他の無線ＩＣタグとは識別可能な情報を記憶しており、無線機器は、無線ＩＣタグの記憶している識別可能な情報をオプション機能に対応させて予め記憶しており、無線ＩＣタグリーダが無線ＩＣタグを検出したときには、その識別可能な情報に対応するオプション機能を有効に設定するオプション機能設定手段を備えている。
【００１０】
請求項２では、無線ＩＣタグは、その表面に、この無線ＩＣタグによって有効とされる上記電子機器のオプション機能の識別情報が印刷されており、電子機器の外装面の所定位置に貼り付けて使用されることを特徴とする。
【００１１】
請求項３では、オプション機能設定手段は、１種類の無線ＩＣタグが記憶している識別可能な情報を少なくとも２つ以上のオプション機能に対応させて記憶していることを特徴とする。
【００１２】
請求項４では、無線ＩＣタグは、無線ＩＣタグ自身の有効性を担保する付加情報を更に記憶しており、オプション機能設定手段は、無線ＩＣタグを検出したときには、無線ＩＣタグ自身の有効性を担保する付加情報を確認したのちに、オプション機能を有効に設定することを特徴とする。
【発明の効果】
【００１３】
本発明の請求項１〜４によれば、電子機器は、無線ＩＣタグリーダが無線ＩＣタグを検出したときには、その識別可能な情報に対応するオプション機能を有効に設定するので、オプション機能を有効に設定する際には、オプション基板を装置本体と装着するという手間を省き、装置本体と電気的接触がいらず、簡易にオプション機能の有効設定ができる。
【００１４】
また、請求項２では、無線ＩＣタグは、その表面に、この無線ＩＣタグによって有効とされる電子機器のオプション機能の識別情報が印刷されており、電子機器の外装面の所定位置に貼り付けて使用されるので、現在、どのようなオプション機能が有効に設定されているかを容易に確認できる。
【００１５】
また、請求項３では、１つの無線ＩＣタグで、２つ以上のオプション機能を有効にできる。
【００１６】
更に、請求項４では、無線ＩＣタグを検出したときには、無線ＩＣタグ自身の有効性を担保する付加情報を確認したのちに、オプション機能を有効に設定するので、無線ＩＣタグの有効性を担保した後、オプション機能の設定が有効とされ、セキュリティ上有益にできる。
【発明を実施するための最良の形態】
【００１７】
以下に、本発明の実施の形態について説明する。
【実施例１】
【００１８】
図１は、本発明の電子機器システムの基本構成の一例を示すブロック図である。なお、ここでは、電子機器システムの構成要素である電子機器の一例として、ファクシミリ装置Ｆの構成を示しているが、この例には限られず、各種オプション機能に対応するオプション基板を予め装置内部に装着しているもの、あるいは、オプション機能に対応するプログラムを予め格納している装置であればよい。
【００１９】
この電子機器システムは、電子機器の１つであるファクシミリ装置Ｆと無線ＩＣタグＴとで構成されている。
【００２０】
ファクシミリ装置Ｆは、ＣＰＵなどで構成され、以下の各部を制御する制御部１と、電話回線Ｌの接続制御をするＮＣＵ２と、ファクシミリ通信に必要な各種信号の変復調をするモデム３と、画像データの符号化、復号を行うコーデック４と、セットされた原稿を読み取り、画像データを生成するスキャナ５と、画像データを、予めセットされた記録紙に印字出力するプリンタ６と、操作表示部７と、このファクシミリ装置Ｆが動作するのに必要なプログラムを記憶するＲＯＭ８と、短縮ダイヤルなどを記憶し、後述するオプション機能テーブル９０を有するＲＡＭ９と、画像データを一時格納する画像メモリ１０と、無線ＩＣタグＴより出力される識別情報を読み取る無線ＩＣタグリーダ１１と、オプション基板１４を取り付けるためのインタフェース１３とを備える。
【００２１】
そして、オプション機能テーブル９０には、例えば、図示するように、タグ１２の識別情報毎に、実行すべきオプション機能が対応して登録される。また、タグリーダ１１は、無線ＩＣタグＴより無線信号として出力される識別情報（ここではＩＤコード）を検出し、検出状況を順次格納する。
【００２２】
また、各種オプション基板１４はそれぞれ対応するインタフェース１３に予め装着されている。つまり、工場出荷時には、いくつかのオプション基板１４が予め機器内部に取り付けられた状態となっている。
【００２３】
しかしながら、この例には限られず、ＲＯＭ８などに予め各種オプション機能に対応するプログラムを格納しておき、後述する処理で無線ＩＤタグＴの識別情報を検出したときには、その識別情報に対応するオプション機能を有効に設定し、有効に設定したオプション機能に対応するプログラムを読み出してそのプログラムを実行するようにしてもよい。
【００２４】
このような構成において、予め登録された各種オプション機能のうち、ユーザが所望の機能を選択した場合には、例えば、ユーザがオプション機能キーを押した場合には、以下の処理をなす。これについて、図２のフローチャートとともに説明する。
【００２５】
なお、以下の処理は、装置の電源投入時に自動的に行われるようにしてもよい。
【００２６】
このファクシミリ装置Ｆでは、有効、無効を判断すべきオプション機能（例えばネットワーク機能）を選択したあと（１００）、制御部１は、無線ＩＣタグリーダ１１のタグ検出状態を適宜読み出す。そして、そのオプション機能を有効にするタグＴを検出していれば（１０１）、選択されたそのオプション機能を有効に設定するために、対応したオプション機能有効フラグを立てる（１０２）。一方、タグＴを検出していない場合には（１０１）、そのオプション有効フラグをクリアする（１０３）。なお、ここで、有効、無効を判断すべき機能と、その機能を有効にするタグとの対応をオプション機能テーブル９０を参照して判断している。
【００２７】
以上の処理を、オプション機能テーブル９０に記載されているオプション機能の数に応じて繰り返し行う（１０４）。
【００２８】
このような機能を行うことにより、ユーザは、必要なオプション機能の設定を無線ＩＣタグＴを外装面に取り付けるだけで行うことができ、利便にできる。また、選択したオプション機能が、ＩＣタグＴの識別情報に対応していなければ有効に設定できないため、セキュリティの確保にも有益である。
【００２９】
また、このような構成のファクシミリ装置Ｆは、図３に示す処理（２００〜２０６）を行ってもよい。すなわち、図２では、オプション機能を有効に設定できる権限を有するかを、ＩＣタグＴの識別情報のみを基にして判別しているが、ここでは、これを更に改良して、ＩＣタグＴの識別情報とともに、付加情報として暗号キーを付加して送出するようにし、それを制御部１が解読し、ＩＣタグＴの正当性を認証するようにしている。
【００３０】
そのため、オプション機能テーブル９０には、識別情報の他、ＩＣタグＴの有効性を担保するための付加情報として、解読された暗号キーを登録している。
【００３１】
ファクシミリ装置Ｆでは、有効無効を判断すべきオプション機能が選択されると（２００）、制御部１は、適宜、無線ＩＣタグリーダ１１のタグ検出状態を読み出す。
【００３２】
そして、当該ＩＣタグＴより識別情報に付加されて送出された暗号キーを解読し（２０２）、そのタグＴがその機能を有効にするものであり、かつ、その暗号キーが有効であれば、オプション機能有効フラグを立てる（２０４）。一方、タグＴを検出していない場合（２０１）、または、暗号キーが無効な場合には、そのＩＣタグＴに対応するオプション有効フラグをクリアする（２０５）。
【００３３】
以上の処理を、オプション機能対応テーブル９０に記載されているオプション機能の数に応じて繰り返し行う（２０６）。このようにすれば、暗号キーにより、タグＴの偽造などの不正を防止でき、セキュリティ上で有益である。
【００３４】
図４は、本発明の使用態様をファクシミリ装置Ｆの外装面から概略的に示す図であり、無線ＩＣタグ１２には、その表面に、オプション機能の種別を表す識別情報が表示されている（図では「ネットワーク」）。
【００３５】
このような無線ＩＣタグＴを装置Ｆの外装面に取り付ければ、先述した処理（図２参照）がされ、無線ＩＣタグＴに表示された機能（「ネットワーク」）が実行可能となる。あるいは、単にオプションの有効・無効を判断するようにしてもよい。
【００３６】
このように、無線ＩＣタグＴには、そのオプション機能の識別情報が表示されているので、ユーザがどのような機能が有効設定されているかを容易に確認できる。また、装置Ｆの外装面に取り付けるので、その確認がとりわけ容易である。更に、ＩＣタグＴを粘着剤で貼り付ける構成とすれば、ＩＣタグＴの取り付けが更に簡便となる。
【００３７】
また、上記実施例では、１つのタグＴに１つのオプション機能しか割り当てていないが、２つ以上のオプション機能を割り当てる構成ももちろん可能である。
【図面の簡単な説明】
【００３８】
【図１】本発明の基本構成の一例を示す図
【図２】本発明の基本動作について説明するためのフローチャート
【図３】本発明の基本動作の他例について説明するためのフローチャート
【図４】本発明の使用態様について概略的に示す図
【符号の説明】
【００３９】
Ｆ・・・ファクシミリ装置
１・・・制御部
９０・・・オプション機能テーブル
１１・・・無線ＩＣタグリーダ
Ｔ・・・無線ＩＣタグ
１４・・・オプション基板
【図１】
2006067177.tif 000003
【図２】
2006067177.tif 000004
【図３】
2006067177.tif 000005
【図４】
2006067177.tif 000006